(57)【特許請求の範囲】
【請求項１】
与えられたジョブの指示によってプリント動作を行うプリント手段を備えたプリントシステムであって、
第１のジョブにこのジョブを識別するための第１のＩＤコードを割り当てる割当手段と、
それぞれ所定の属性を有する用紙が供給される複数の給紙口と、
各用紙属性に対して予め定められた優先順位に従って上記給紙口を選択する選択手段と、
上記第１のジョブに割り当てられた第１のＩＤコードと、その第１のジョブによるプリント動作時に前記選択手段により選択された給紙口の用紙属性とを関連付けて記憶する属性メモリと、
第２のジョブに伴って第２のＩＤコードを入力するための入力手段と、
上記第１のＩＤコードと第２のＩＤコードとを比較する比較手段とを備え、
上記プリント手段は、上記比較手段が上記第１のＩＤコードと第２のＩＤコードとが同一であると判定したとき、上記第２のジョブによるプリント動作を、上記第１のジョブによるプリント動作時に上記属性メモリに記憶された用紙属性を有する用紙が供給される給紙口を用いて行い、上記比較手段が上記第１のＩＤコードと第２のＩＤコードとが同一でないと判定したとき、上記第２のジョブによるプリント動作を、当該第２のジョブによるプリント実行時に前記選択手段により選択された給紙口を用いて行うことを特徴とするプリントシステム。
【請求項２】
請求項１に記載のプリントシステムにおいて、
上記比較手段が上記第１のＩＤコードと第２のＩＤコードとが同一ではないと判定したとき、上記プリント手段の上記第２のジョブによるプリント動作に伴って、上記属性メモリは上記第２のＩＤコードとその第２のジョブによるプリント動作時に前記選択手段により選択された給紙口の用紙属性とを関連付けて記憶することを特徴とするプリントシステム。
【請求項３】
請求項１に記載のプリントシステムにおいて、
複数の排紙口と、
上記第１のジョブに割り当てられた第１のＩＤコードとその第１のジョブによるプリント動作時に選択された排紙口とを関連付けて記憶する排紙口メモリを備え、
上記比較手段が上記第１のＩＤコードと第２のＩＤコードとが同一であると判定したとき、上記プリント手段は上記第２のジョブによるプリント動作を行って、上記第１のジョブによるプリント動作時に上記排紙口メモリに記憶された排紙口にプリントを排出することを特徴とするプリントシステム。
【請求項４】
請求項１に記載のプリントシステムにおいて、
複数部数のプリントを出力すべきジョブが与えられたとき、用紙の向きをその各部毎に縦横に切り替えて給紙し得る交互給紙手段と、
上記第１のジョブに割り当てられた第１のＩＤコードとその第１のジョブによるプリント動作時に上記交互給紙手段が交互給紙を行ったか否かとを関連付けて記憶する交互給紙メモリを備え、
上記比較手段が上記第１のＩＤコードと第２のＩＤコードとが同一であると判定したとき、上記交互給紙手段は上記第２のジョブによるプリント動作のための給紙を、上記第１のジョブによるプリント動作時に上記交互給紙メモリに記憶された内容に応じて行うことを特徴とするプリントシステム。
【請求項５】
与えられたジョブの指示によってプリント動作を行うプリント手段を備えた画像形成装置であって、
それぞれ所定の属性を有する用紙が供給される複数の給紙口と、
各用紙属性に対して予め定められた優先順位に従って上記給紙口を選択する選択手段と、
第１のジョブに伴って入力された第１のＩＤコードと、その第１のジョブによるプリント動作時に前記選択手段により選択された給紙口の用紙属性とを関連付けて記憶する属性メモリと、
第２のジョブに伴って入力された第２のＩＤコードと上記第１のＩＤコードとを比較する比較手段とを備え、
上記プリント手段は、上記比較手段が上記第１のＩＤコードと第２のＩＤコードとが同一であると判定したとき、上記第２のジョブによるプリント動作を、上記第１のジョブによるプリント動作時に上記属性メモリに記憶された用紙属性を有する用紙が供給される給紙口を用いて行い、上記比較手段が上記第１のＩＤコードと第２のＩＤコードとが同一でないと判定したとき、上記第２のジョブによるプリント動作を、当該第２のジョブによるプリント実行時に前記選択手段により選択された給紙口を用いて行うことを特徴とする画像形成装置。
【請求項６】
請求項５に記載の画像形成装置において、
上記比較手段が上記第１のＩＤコードと第２のＩＤコードとが同一ではないと判定したとき、上記プリント手段の上記第２のジョブによるプリント動作に伴って、上記属性メモリは上記第２のＩＤコードとその第２のジョブによるプリント動作時に前記選択手段により選択された給紙口の用紙属性とを関連付けて記憶することを特徴とする画像形成装置。
【請求項７】
請求項５に記載の画像形成装置において、
複数の排紙口と、
上記第１のジョブに割り当てられた第１のＩＤコードとその第１のジョブによるプリント動作時に選択された排紙口とを関連付けて記憶する排紙口メモリを備え、
上記比較手段が上記第１のＩＤコードと第２のＩＤコードとが同一であると判定したとき、上記プリント手段は上記第２のジョブによるプリント動作を行って、上記第１のジョブによるプリント動作時に上記排紙口メモリに記憶された排紙口にプリントを排出することを特徴とする画像形成装置。
【請求項８】
請求項５に記載の画像形成装置において、
複数部数のプリントを出力すべきジョブが与えられたとき、用紙の向きをその各部毎に縦横に切り替えて給紙し得る交互給紙手段と、
上記第１のジョブに割り当てられた第１のＩＤコードとその第１のジョブによるプリント動作時に上記交互給紙手段が交互給紙を行ったか否かとを関連付けて記憶する交互給紙メモリを備え、
上記比較手段が上記第１のＩＤコードと第２のＩＤコードとが同一であると判定したとき、上記交互給紙手段は上記第２のジョブによるプリント動作のための給紙を、上記第１のジョブによるプリント動作時に上記交互給紙メモリに記憶された内容に応じて行うことを特徴とする画像形成装置。
【請求項９】
プリント動作についてのジョブを指示するとともにそのジョブを識別するためのＩＤコードを入力し得るユーザ側データ処理装置、および与えられたジョブの指示によってプリント動作を行う画像形成装置とそれぞれ通信回線を介して接続されたセンタ側データ処理装置であって、
上記画像形成装置は、それぞれ特定の用紙属性を有する用紙が供給される複数の給紙口と、各用紙属性に対して予め定められた優先順位に従って上記給紙口を選択する選択手段を備えており、
ユーザ側データ処理装置からの第１のジョブにこのジョブを識別するための第１のＩＤコードを割り当てる割当手段と、
上記第１のジョブに割り当てられた第１のＩＤコードとその第１のジョブによる画像形成装置のプリント動作時に前記選択手段により選択された給紙口の用紙属性とを関連付けて記憶する属性メモリと、
上記ユーザ側データ処理装置からの第２のジョブに伴って入力された第２のＩＤコードと上記第１のＩＤコードとを比較する比較手段とを備え、
上記比較手段が上記第１のＩＤコードと第２のＩＤコードとが同一であると判定したとき、上記画像形成装置に上記第２のジョブによるプリント動作を、上記第１のジョブによるプリント動作時に上記属性メモリに記憶された用紙属性を有する用紙が供給される給紙口を用いて行わせ、上記比較手段が上記第１のＩＤコードと第２のＩＤコードとが同一でないと判定したとき、上記画像形成装置に上記第２のジョブによるプリント動作を、当該第２のジョブによるプリント実行時に前記選択手段が選択する給紙口を用いて行わせることを特徴とするセンタ側データ処理装置。
【請求項１０】
請求項９に記載のセンタ側データ処理装置において、
上記比較手段が上記第１のＩＤコードと第２のＩＤコードとが同一ではないと判定したとき、上記画像形成装置の上記第２のジョブによるプリント動作に伴って、上記属性メモリは上記第２のＩＤコードとその第２のジョブによるプリント動作時に前記選択手段により選択された給紙口の用紙属性とを関連付けて記憶することを特徴とするセンタ側データ処理装置。
【発明の詳細な説明】
【０００１】
【発明の属する技術分野】
この発明はプリントシステムに関し、より詳しくは、ＩＤ（識別番号）コードを伴ったジョブの指示によってプリント動作（コピー動作を含む。この明細書を通して同様。）を行うプリントシステムおよび画像形成装置に関する。
【０００２】
また、この発明の目的は、ユーザ側データ処理装置および画像形成装置と通信回線を通して接続され、ユーザ側データ処理装置からのジョブの指示によって画像形成装置にプリント動作を行わせるセンタ側データ処理装置に関する。
【０００３】
【従来の技術および発明が解決しようとする課題】
省資源を奨励する近年の一般的傾向から、プリンタは、普通紙よりも再利用紙（片面プリント済みで、残るもう１面だけが使用できるもの）を優先して選択してプリント動作を行うようになっていることが多い。このため、プリンタが或るジョブに関して何らかの都合で普通紙を選択してプリント動作を行った後、同じＩＤコードを伴ったジョブの指示によって追加のプリント動作を行う場合であっても、再利用紙を選択してプリント動作を行うことがある。この結果、例えば会社で複数部数の会議資料（プリント束）を用意しようとする場合、先のプリント動作によって得られた何部かの資料が普通紙を用いたもの、後のプリント動作によって得られた何部かの資料が再利用紙を用いたものになるため、それらが同じ会議で使用されると、用紙の種類が異なっているせいで見栄えが悪いという問題がある。
【０００４】
そこで、この発明の目的は、同じＩＤコードを伴ったジョブの指示によってプリント動作を行う場合、同じ出来上がり状態を得ることができるプリントシステムおよび画像形成装置を提供することにある。
【０００５】
また、この発明の目的は、ユーザ側データ処理装置および画像形成装置と通信回線を通して接続され、ユーザ側データ処理装置からの同じＩＤコードを伴ったジョブの指示によって画像形成装置がプリント動作を行う場合、同じ出来上がり状態が得られるように働くセンタ側データ処理装置を提供することにある。
【０００６】
【課題を解決するための手段】
上記目的を達成するため、請求項１に記載のプリントシステムは、与えられたジョブの指示によってプリント動作を行うプリント手段を備えたプリントシステムであって、第１のジョブにこのジョブを識別するための第１のＩＤコードを割り当てる割当手段と、それぞれ所定の属性を有する用紙が供給される複数の給紙口と、各用紙属性に対して予め定められた優先順位に従って上記給紙口を選択する選択手段と、上記第１のジョブに割り当てられた第１のＩＤコードと、その第１のジョブによるプリント動作時に前記選択手段により選択された給紙口の用紙属性とを関連付けて記憶する属性メモリと、第２のジョブに伴って第２のＩＤコードを入力するための入力手段と、上記第１のＩＤコードと第２のＩＤコードとを比較する比較手段とを備え、上記プリント手段は、上記比較手段が上記第１のＩＤコードと第２のＩＤコードとが同一であると判定したとき、上記第２のジョブによるプリント動作を、上記第１のジョブによるプリント動作時に上記属性メモリに記憶された用紙属性を有する用紙が供給される給紙口を用いて行い、上記比較手段が上記第１のＩＤコードと第２のＩＤコードとが同一でないと判定したとき、上記第２のジョブによるプリント動作を、当該第２のジョブによるプリント実行時に前記選択手段により選択された給紙口を用いて行うことを特徴とする。
【０００７】
この請求項１のプリントシステムでは、複数の給紙口にそれぞれ所定の属性を有する用紙が用意される。プリント動作についての第１のジョブが与えられたとき、割当手段が第１のジョブにこのジョブを識別するための第１のＩＤコードを割り当てる。選択手段が各用紙属性に対して予め定められた優先順位に従って上記給紙口を選択する。プリント手段は、その選択された給紙口を通して供給される用紙を用いて、上記第１のジョブによるプリント動作を行う。これに伴って、属性メモリは、上記第１のジョブに割り当てられた第１のＩＤコードと、その第１のジョブによるプリント動作時に前記選択手段により選択された給紙口の用紙属性とを関連付けて記憶する。この後、プリント動作についての第２のジョブが与えられたとき、入力手段によってその第２のジョブに伴って第２のＩＤコードが入力されるものとする。すると、比較手段が上記第１のＩＤコードと第２のＩＤコードとを比較する。そして、上記プリント手段は、上記比較手段が上記第１のＩＤコードと第２のＩＤコードとが同一であると判定したとき、上記第２のジョブによるプリント動作を、上記第１のジョブによるプリント動作時に上記属性メモリに記憶された用紙属性を有する用紙が供給される給紙口を用いて行う。一方、上記プリント手段は、上記比較手段が上記第１のＩＤコードと第２のＩＤコードとが同一でないと判定したとき、上記第２のジョブによるプリント動作を、当該第２のジョブによるプリント実行時に前記選択手段により選択された給紙口を用いて行う。
【０００８】
例えば再利用紙が供給される給紙口と、普通紙が供給される給紙口とが設けられ、本来再利用紙の方が普通紙よりも優先して選択されるようになっているものとする。ここで、プリント手段が或るジョブに関して何らかの都合で普通紙を選択してプリント動作を行った後、同じＩＤコードを伴ったジョブの指示によって追加のプリント動作を行う場合は、普通紙を選択してプリント動作を行うことになる。この結果、例えば会社で複数部数の会議資料（プリント束）を用意しようとする場合、先のプリント動作によって得られた何部かの資料と後のプリント動作によって得られた何部かの資料とがいずれも普通紙を用いたもの、つまり同じ出来上がり状態になる。したがって、見栄えが良くなる。
【０００９】
請求項２に記載のプリントシステムは、請求項１に記載のプリントシステムにおいて、上記比較手段が上記第１のＩＤコードと第２のＩＤコードとが同一ではないと判定したとき、上記プリント手段の上記第２のジョブによるプリント動作に伴って、上記属性メモリは上記第２のＩＤコードとその第２のジョブによるプリント動作時に前記選択手段により選択された給紙口の用紙属性とを関連付けて記憶することを特徴とする。
【００１０】
この請求項２のプリントシステムでは、上記比較手段が上記第１のＩＤコードと第２のＩＤコードとが同一ではないと判定したとき、上記プリント手段の上記第２のジョブによるプリント動作に伴って、上記属性メモリは上記第２のＩＤコードとその第２のジョブによるプリント動作時に前記選択手段により選択された給紙口の用紙属性とを関連付けて記憶する。この後、プリント動作についての第３のジョブが与えられたとき、入力手段によってその第３のジョブに伴って第３のＩＤコードが入力されるものとする。すると、比較手段が上記第１、第２のＩＤコードと第３のＩＤコードとを比較する。そして、上記比較手段が上記第１、第２のＩＤコードのいずれかと第３のＩＤコードとが同一であると判定したとき、プリント手段は上記第３のジョブによるプリント動作を、そのＩＤコードが一致した前回のジョブによるプリント動作時に上記属性メモリに記憶された給紙口の用紙属性に基づいて行う。この後、プリント動作についての第４のジョブが与えられたとき、入力手段によってその第４のジョブに伴って第４のＩＤコードが入力されるものとする。すると、比較手段が上記第１、第２、第３のＩＤコードと第４のＩＤコードとを比較する。そして、上記比較手段が上記第１、第２、第３のＩＤコードのいずれかと第４のＩＤコードとが同一であると判定したとき、プリント手段は上記第４のジョブによるプリント動作を、そのＩＤコードが一致した前回のジョブによるプリント動作時に上記属性メモリに記憶された給紙口の用紙属性に基づいて行う。さらにこの後、プリント動作についての第５のジョブが与えられたとき、入力手段によってその第５のジョブに伴って第５のＩＤコードが入力されるものとする。すると、比較手段が上記第１、第２、第３、第４のＩＤコードと第５のＩＤコードとを比較する。そして、上記比較手段が上記第１、第２、第３、第４のＩＤコードのいずれかと第５のＩＤコードとが同一であると判定したとき、プリント手段は上記第５のジョブによるプリント動作を、そのＩＤコードが一致した前回のジョブによるプリント動作時に上記属性メモリに記憶された給紙口の用紙属性に基づいて行う。このように、プリント動作についての第Ｎのジョブが与えられたとき、入力手段によってその第Ｎのジョブに伴って第ＮのＩＤコードが入力されると、比較手段が第１、第２、…、第（Ｎ−１）のＩＤコードと第ＮのＩＤコードとを比較する。そして、上記比較手段が上記第１、第２、…、第（Ｎ−１）のＩＤコードのいずれかと第ＮのＩＤコードとが同一であると判定したとき、プリント手段は上記第Ｎのジョブによるプリント動作を、そのＩＤコードが一致した前回のジョブによるプリント動作時に上記属性メモリに記憶された給紙口の用紙属性に基づいて行う。
【００１１】
このように、このプリントシステムでは、プリント動作についてのジョブに伴って新たなＩＤコードが入力されたとき、そのジョブについてのＩＤコードとそのジョブによるプリント動作時に選択された給紙口の用紙属性とが関連付けて属性メモリに記憶される。この後、プリント動作についてのジョブに伴って前回のＩＤコードと同じＩＤコードが入力されたとき、プリント手段はそのジョブによるプリント動作を、そのＩＤコードが一致した前回のジョブによるプリント動作時に上記属性メモリに記憶された給紙口の用紙属性に基づいて行うことができる。したがって、前回のプリント動作によって得られたプリントと今回のプリント動作によって得られたプリントが、同じ出来上がり状態になる。したがって、見栄えが良くなる。
【００１２】
請求項３に記載のプリントシステムは、請求項１に記載のプリントシステムにおいて、複数の排紙口と、上記第１のジョブに割り当てられた第１のＩＤコードとその第１のジョブによるプリント動作時に選択された排紙口とを関連付けて記憶する排紙口メモリを備え、上記比較手段が上記第１のＩＤコードと第２のＩＤコードとが同一であると判定したとき、上記プリント手段は上記第２のジョブによるプリント動作を行って、上記第１のジョブによるプリント動作時に上記排紙口メモリに記憶された排紙口にプリントを排出することを特徴とする。
【００１３】
この請求項３のプリントシステムでは、プリント動作についての第１のジョブが与えられたとき、割当手段が第１のジョブにこのジョブを識別するための第１のＩＤコードを割り当てる。プリント手段は上記第１のジョブによるプリント動作を行って、複数の排紙口のいずれかにプリントを排紙する。これに伴って、排紙口メモリは上記第１のジョブに割り当てられた第１のＩＤコードとその第１のジョブによるプリント動作時に選択された排紙口とを関連付けて記憶する。この後、プリント動作についての第２のジョブが与えられたとき、入力手段によってその第２のジョブに伴って第２のＩＤコードが入力されるものとする。すると、比較手段が上記第１のＩＤコードと第２のＩＤコードとを比較する。そして、上記比較手段が上記第１のＩＤコードと第２のＩＤコードとが同一であると判定したとき、プリント手段は上記第２のジョブによるプリント動作を行って、上記第１のジョブによるプリント動作時に上記排紙口メモリに記憶された排紙口にプリントを排出する。
【００１４】
したがって、同じＩＤコードを伴ったジョブの指示によって得られたプリントは同じ排紙口に排出される。つまり、用紙の種類も揃えておけば、同じ出来上がり状態のプリントが同じ排紙口に排出される。ユーザは同じ排紙口に排出されたプリントだけを取れば良い。したがって、プリントの取り扱いが容易になる。
【００１５】
請求項４に記載のプリントシステムは、請求項１に記載のプリントシステムにおいて、複数部数のプリントを出力すべきジョブが与えられたとき、用紙の向きをその各部毎に縦横に切り替えて給紙し得る交互給紙手段と、上記第１のジョブに割り当てられた第１のＩＤコードとその第１のジョブによるプリント動作時に上記交互給紙手段が交互給紙を行ったか否かとを関連付けて記憶する交互給紙メモリを備え、上記比較手段が上記第１のＩＤコードと第２のＩＤコードとが同一であると判定したとき、上記交互給紙手段は上記第２のジョブによるプリント動作のための給紙を、上記第１のジョブによるプリント動作時に上記交互給紙メモリに記憶された内容に応じて行うことを特徴とする。
【００１６】
この請求項４のプリントシステムでは、複数部数のプリントを出力すべき第１のジョブが与えられたとき、割当手段が第１のジョブにこのジョブを識別するための第１のＩＤコードを割り当てる。交互給紙手段は、指示に応じて、用紙の向きを各部毎に縦横に切り替えて給紙する交互給紙と、給紙の向きが一定である定常給紙とのいずれかを行う。プリント手段は、その給紙された用紙を用いて、上記第１のジョブによるプリント動作を行う。交互給紙がされた場合は、排出されたプリントの向きは、給紙の向きに応じて各部毎に縦横に切り替えられた状態となる。一方、給紙の向きが一定である定常給紙がされた場合は、排出されたプリントの向きは、給紙の向きに応じて一定となる。これに伴って、交互給紙メモリは上記第１のジョブに割り当てられた第１のＩＤコードとその第１のジョブによるプリント動作時に上記交互給紙手段が交互給紙を行ったか否かとを関連付けて記憶する。この後、プリント動作についての第２のジョブが与えられたとき、入力手段によってその第２のジョブに伴って第２のＩＤコードが入力されるものとする。すると、比較手段が上記第１のＩＤコードと第２のＩＤコードとを比較する。そして、上記比較手段が上記第１のＩＤコードと第２のＩＤコードとが同一であると判定したとき、上記交互給紙手段は上記第２のジョブによるプリント動作のための給紙を、上記第１のジョブによるプリント動作時に上記交互給紙メモリに記憶された内容に応じて行う。すなわち、交互給紙手段は、上記第１のジョブによるプリント動作時に交互給紙を行ったときは上記第２のジョブによるプリント動作時に交互給紙を行う一方、上記第１のジョブによるプリント動作時に定常給紙を行ったときは上記第２のジョブによるプリント動作時に定常給紙を行う。そして、プリント手段は、その給紙された用紙を用いて、上記第２のジョブによるプリント動作を行う。
【００１７】
この結果、第１のジョブによるプリント動作時に排出されたプリントの向きが各部毎に縦横に切り替えられた状態になっていれば、第２のジョブによるプリント動作時に排出されたプリントの向きも各部毎に縦横に切り替えられた状態になる。一方、第１のジョブによるプリント動作時に排出されたプリントの向きが一定になっていれば、第２のジョブによるプリント動作時に排出されたプリントの向きも一定になる。したがって、プリントの取り扱いが容易になる。
【００１８】
請求項５に記載の画像形成装置は、与えられたジョブの指示によってプリント動作を行うプリント手段を備えた画像形成装置であって、それぞれ所定の属性を有する用紙が供給される複数の給紙口と、各用紙属性に対して予め定められた優先順位に従って上記給紙口を選択する選択手段と、第１のジョブに伴って入力された第１のＩＤコードと、その第１のジョブによるプリント動作時に前記選択手段により選択された給紙口の用紙属性とを関連付けて記憶する属性メモリと、第２のジョブに伴って入力された第２のＩＤコードと上記第１のＩＤコードとを比較する比較手段とを備え、上記プリント手段は、上記比較手段が上記第１のＩＤコードと第２のＩＤコードとが同一であると判定したとき、上記第２のジョブによるプリント動作を、上記第１のジョブによるプリント動作時に上記属性メモリに記憶された用紙属性を有する用紙が供給される給紙口を用いて行い、上記比較手段が上記第１のＩＤコードと第２のＩＤコードとが同一でないと判定したとき、上記第２のジョブによるプリント動作を、当該第２のジョブによるプリント実行時に前記選択手段により選択された給紙口を用いて行うことを特徴とする。
【００１９】
この請求項５の画像形成装置では、複数の給紙口にそれぞれ所定の属性を有する用紙が用意される。プリント動作についての第１のジョブが与えられたとき、選択手段が各用紙属性に対して予め定められた優先順位に従って上記給紙口を選択する。プリント手段は、その選択された給紙口を通して供給される用紙を用いて、上記第１のジョブによるプリント動作を行う。これに伴って、属性メモリは、上記第１のジョブに伴って入力された第１のＩＤコードと、その第１のジョブによるプリント動作時に前記選択手段により選択された給紙口の用紙属性とを関連付けて記憶する。この後、プリント動作についての第２のジョブに伴って第２のＩＤコードが入力されるものとする。すると、比較手段が上記第１のＩＤコードと第２のＩＤコードとを比較する。そして、上記プリント手段は、上記比較手段が上記第１のＩＤコードと第２のＩＤコードとが同一であると判定したとき、上記第２のジョブによるプリント動作を、上記第１のジョブによるプリント動作時に上記属性メモリに記憶された用紙属性を有する用紙が供給される給紙口を用いて行う。一方、上記プリント手段は、上記比較手段が上記第１のＩＤコードと第２のＩＤコードとが同一でないと判定したとき、上記第２のジョブによるプリント動作を、当該第２のジョブによるプリント実行時に前記選択手段により選択された給紙口を用いて行う。
【００２０】
例えば再利用紙が供給される給紙口と、普通紙が供給される給紙口とが設けられ、本来再利用紙の方が普通紙よりも優先して選択されるようになっているものとする。ここで、プリント手段が或るジョブに関して何らかの都合で普通紙を選択してプリント動作を行った後、同じＩＤコードを伴ったジョブの指示によって追加のプリント動作を行う場合は、普通紙を選択してプリント動作を行うことになる。この結果、例えば会社で複数部数の会議資料（プリント束）を用意しようとする場合、先のプリント動作によって得られた何部かの資料と後のプリント動作によって得られた何部かの資料とがいずれも普通紙を用いたもの、つまり同じ出来上がり状態になる。したがって、見栄えが良くなる。
【００２１】
請求項６に記載の画像形成装置は、請求項５に記載の画像形成装置において、上記比較手段が上記第１のＩＤコードと第２のＩＤコードとが同一ではないと判定したとき、上記プリント手段の上記第２のジョブによるプリント動作に伴って、上記属性メモリは上記第２のＩＤコードとその第２のジョブによるプリント動作時に前記選択手段により選択された給紙口の用紙属性とを関連付けて記憶することを特徴とする。
【００２２】
この請求項６の画像形成装置では、上記比較手段が上記第１のＩＤコードと第２のＩＤコードとが同一ではないと判定したとき、上記プリント手段の上記第２のジョブによるプリント動作に伴って、上記属性メモリは上記第２のＩＤコードとその第２のジョブによるプリント動作時に前記選択手段により選択された給紙口の用紙属性とを関連付けて記憶する。この後、プリント動作についての第３のジョブに伴って第３のＩＤコードが入力されるものとする。すると、比較手段が上記第１、第２のＩＤコードと第３のＩＤコードとを比較する。そして、上記比較手段が上記第１、第２のＩＤコードのいずれかと第３のＩＤコードとが同一であると判定したとき、プリント手段は上記第３のジョブによるプリント動作を、そのＩＤコードが一致した前回のジョブによるプリント動作時に上記属性メモリに記憶された用紙属性に基づいて行う。この後、プリント動作についての第４のジョブが与えられたとき、入力手段によってその第４のジョブに伴って第４のＩＤコードが入力されるものとする。すると、比較手段が上記第１、第２、第３のＩＤコードと第４のＩＤコードとを比較する。そして、上記比較手段が上記第１、第２、第３のＩＤコードのいずれかと第４のＩＤコードとが同一であると判定したとき、プリント手段は上記第４のジョブによるプリント動作を、そのＩＤコードが一致した前回のジョブによるプリント動作時に上記属性メモリに記憶された給紙口の用紙属性に基づいて行う。さらにこの後、プリント動作についての第５のジョブが与えられたとき、入力手段によってその第５のジョブに伴って第５のＩＤコードが入力されるものとする。すると、比較手段が上記第１、第２、第３、第４のＩＤコードと第５のＩＤコードとを比較する。そして、上記比較手段が上記第１、第２、第３、第４のＩＤコードのいずれかと第５のＩＤコードとが同一であると判定したとき、プリント手段は上記第５のジョブによるプリント動作を、そのＩＤコードが一致した前回のジョブによるプリント動作時に上記属性メモリに記憶された給紙口の用紙属性に基づいて行う。このように、プリント動作についての第Ｎのジョブが与えられたとき、入力手段によってその第Ｎのジョブに伴って第ＮのＩＤコードが入力されると、比較手段が第１、第２、…、第（Ｎ−１）のＩＤコードと第ＮのＩＤコードとを比較する。そして、上記比較手段が上記第１、第２、…、第（Ｎ−１）のＩＤコードのいずれかと第ＮのＩＤコードとが同一であると判定したとき、プリント手段は上記第Ｎのジョブによるプリント動作を、そのＩＤコードが一致した前回のジョブによるプリント動作時に上記属性メモリに記憶された給紙口の用紙属性に基づいて行う。
【００２３】
このように、この画像形成装置では、プリント動作についてのジョブに伴って新たなＩＤコードが入力されたとき、そのジョブについてのＩＤコードとそのジョブによるプリント動作時に選択された給紙口の用紙属性とが関連付けて属性メモリに記憶される。この後、プリント動作についてのジョブに伴って前回のＩＤコードと同じＩＤコードが入力されたとき、プリント手段はそのジョブによるプリント動作を、そのＩＤコードが一致した前回のジョブによるプリント動作時に上記属性メモリに記憶された給紙口の用紙属性に基づいて行うことができる。したがって、前回のプリント動作によって得られたプリントと今回のプリント動作によって得られたプリントが、同じ出来上がり状態になる。したがって、見栄えが良くなる。
【００２４】
請求項７に記載の画像形成装置は、請求項５に記載の画像形成装置において、複数の排紙口と、上記第１のジョブに割り当てられた第１のＩＤコードとその第１のジョブによるプリント動作時に選択された排紙口とを関連付けて記憶する排紙口メモリを備え、上記比較手段が上記第１のＩＤコードと第２のＩＤコードとが同一であると判定したとき、上記プリント手段は上記第２のジョブによるプリント動作を行って、上記第１のジョブによるプリント動作時に上記排紙口メモリに記憶された排紙口にプリントを排出することを特徴とする。
【００２５】
この請求項７の画像形成装置では、プリント動作についての第１のジョブが与えられたとき、プリント手段は上記第１のジョブによるプリント動作を行って、複数の排紙口のいずれかにプリントを排紙する。これに伴って、排紙口メモリは上記第１のジョブに割り当てられた第１のＩＤコードとその第１のジョブによるプリント動作時に選択された排紙口とを関連付けて記憶する。この後、プリント動作についての第２のジョブに伴って第２のＩＤコードが入力されるものとする。すると、比較手段が上記第１のＩＤコードと第２のＩＤコードとを比較する。そして、上記比較手段が上記第１のＩＤコードと第２のＩＤコードとが同一であると判定したとき、プリント手段は上記第２のジョブによるプリント動作を行って、上記第１のジョブによるプリント動作時に上記排紙口メモリに記憶された排紙口にプリントを排出する。
【００２６】
したがって、同じＩＤコードを伴ったジョブの指示によって得られたプリントは同じ排紙口に排出される。つまり、用紙の種類も揃えておけば、同じ出来上がり状態のプリントが同じ排紙口に排出される。ユーザは同じ排紙口に排出されたプリントだけを取れば良い。したがって、プリントの取り扱いが容易になる。
【００２７】
請求項８に記載の画像形成装置は、請求項５に記載の画像形成装置において、複数部数のプリントを出力すべきジョブが与えられたとき、用紙の向きをその各部毎に縦横に切り替えて給紙し得る交互給紙手段と、上記第１のジョブに割り当てられた第１のＩＤコードとその第１のジョブによるプリント動作時に上記交互給紙手段が交互給紙を行ったか否かとを関連付けて記憶する交互給紙メモリを備え、上記比較手段が上記第１のＩＤコードと第２のＩＤコードとが同一であると判定したとき、上記交互給紙手段は上記第２のジョブによるプリント動作のための給紙を、上記第１のジョブによるプリント動作時に上記交互給紙メモリに記憶された内容に応じて行うことを特徴とする。
【００２８】
この請求項８の画像形成装置では、複数部数のプリントを出力すべき第１のジョブが与えられたとき、交互給紙手段は、指示に応じて、用紙の向きを各部毎に縦横に切り替えて給紙する交互給紙と、給紙の向きが一定である定常給紙とのいずれかを行う。プリント手段は、その給紙された用紙を用いて、上記第１のジョブによるプリント動作を行う。交互給紙がされた場合は、排出されたプリントの向きは、給紙の向きに応じて各部毎に縦横に切り替えられた状態となる。一方、給紙の向きが一定である定常給紙がされた場合は、排出されたプリントの向きは、給紙の向きに応じて一定となる。これに伴って、交互給紙メモリは上記第１のジョブに伴って入力された第１のＩＤコードとその第１のジョブによるプリント動作時に上記交互給紙手段が交互給紙を行ったか否かとを関連付けて記憶する。この後、プリント動作についての第２のジョブに伴って第２のＩＤコードが入力されるものとする。すると、比較手段が上記第１のＩＤコードと第２のＩＤコードとを比較する。そして、上記比較手段が上記第１のＩＤコードと第２のＩＤコードとが同一であると判定したとき、上記交互給紙手段は上記第２のジョブによるプリント動作のための給紙を、上記第１のジョブによるプリント動作時に上記交互給紙メモリに記憶された内容に応じて行う。すなわち、交互給紙手段は、上記第１のジョブによるプリント動作時に交互給紙を行ったときは上記第２のジョブによるプリント動作時に交互給紙を行う一方、上記第１のジョブによるプリント動作時に定常給紙を行ったときは上記第２のジョブによるプリント動作時に定常給紙を行う。そして、プリント手段は、その給紙された用紙を用いて、上記第２のジョブによるプリント動作を行う。
【００２９】
この結果、第１のジョブによるプリント動作時に排出されたプリントの向きが各部毎に縦横に切り替えられた状態になっていれば、第２のジョブによるプリント動作時に排出されたプリントの向きも各部毎に縦横に切り替えられた状態になる。一方、第１のジョブによるプリント動作時に排出されたプリントの向きが一定になっていれば、第２のジョブによるプリント動作時に排出されたプリントの向きも一定になる。したがって、プリントの取り扱いが容易になる。
【００３０】
なお、請求項５に記載の画像形成装置に対して、プリント動作についてのジョブを指示するための指示手段と、上記ジョブに伴ってそのジョブを識別するためのＩＤコードを上記画像形成装置へ送れるように、ＩＤコードを入力する入力手段とを備えたユーザ側データ処理装置が通信回線を介して接続されているのが望ましい。
【００３１】
このようなユーザ側データ処理装置が接続されていれば、請求項５に記載の画像形成装置に対して通信回線を介して、指示手段によってプリント動作についてのジョブを指示するとともに、入力手段によってそのジョブを識別するためのＩＤコードを入力することができる。したがって、請求項５に記載の画像形成装置に既述の動作を行わせることができる。
【００３２】
請求項９に記載のセンタ側データ処理装置は、プリント動作についてのジョブを指示するとともにそのジョブを識別するためのＩＤコードを入力し得るユーザ側データ処理装置、および与えられたジョブの指示によってプリント動作を行う画像形成装置とそれぞれ通信回線を介して接続されたセンタ側データ処理装置であって、上記画像形成装置は、それぞれ特定の用紙属性を有する用紙が供給される複数の給紙口と、各用紙属性に対して予め定められた優先順位に従って上記給紙口を選択する選択手段を備えており、ユーザ側データ処理装置からの第１のジョブにこのジョブを識別するための第１のＩＤコードを割り当てる割当手段と、上記第１のジョブに割り当てられた第１のＩＤコードとその第１のジョブによる画像形成装置のプリント動作時に前記選択手段により選択された給紙口の用紙属性とを関連付けて記憶する属性メモリと、上記ユーザ側データ処理装置からの第２のジョブに伴って入力された第２のＩＤコードと上記第１のＩＤコードとを比較する比較手段とを備え、上記比較手段が上記第１のＩＤコードと第２のＩＤコードとが同一であると判定したとき、上記画像形成装置に上記第２のジョブによるプリント動作を、上記第１のジョブによるプリント動作時に上記属性メモリに記憶された用紙属性を有する用紙が供給される給紙口を用いて行わせ、上記比較手段が上記第１のＩＤコードと第２のＩＤコードとが同一でないと判定したとき、上記画像形成装置に上記第２のジョブによるプリント動作を、当該第２のジョブによるプリント実行時に前記選択手段が選択する給紙口を用いて行わせることを特徴とする。
【００３３】
この請求項９のセンタ側データ処理装置では、ユーザ側データ処理装置からプリント動作についての第１のジョブが与えられたとき、割当手段が第１のジョブにこのジョブを識別するための第１のＩＤコードを割り当てる。また、このセンタ側データ処理装置は、画像形成装置に上記第１のジョブによるプリント動作を行わせる。これに伴って、属性メモリは、上記第１のジョブに割り当てられた第１のＩＤコードと、その第１のジョブによるプリント動作時に前記選択手段により選択された給紙口の用紙属性とを関連付けて記憶する。この後、ユーザ側データ処理装置からプリント動作についての第２のジョブが指示され、その第２のジョブに伴って第２のＩＤコードが入力されるものとする。すると、比較手段が上記第１のＩＤコードと第２のＩＤコードとを比較する。そして、上記比較手段が上記第１のＩＤコードと第２のＩＤコードとが同一であると判定したとき、このセンタ側データ処理装置は、上記画像形成装置に上記第２のジョブによるプリント動作を、上記第１のジョブによるプリント動作時に上記属性メモリに記憶された用紙属性を有する用紙が供給される給紙口を用いて行わせる。一方、このセンタ側データ処理装置は、上記比較手段が上記第１のＩＤコードと第２のＩＤコードとが同一でないと判定したとき、上記画像形成装置に上記第２のジョブによるプリント動作を、当該第２のジョブによるプリント実行時に前記選択手段が選択する給紙口を用いて行わせる。
【００３４】
例えば、上記画像形成装置に、再利用紙が供給される給紙口と、普通紙が供給される給紙口とが設けられ、本来再利用紙の方が普通紙よりも優先して選択されるようになっているものとする。ここで、上記画像形成装置が或るジョブに関して何らかの都合で普通紙を選択してプリント動作を行った後、同じＩＤコードを伴ったジョブの指示によって追加のプリント動作を行う場合は、普通紙を選択してプリント動作を行うことになる。この結果、例えば会社で複数部数の会議資料（プリント束）を用意しようとする場合、先のプリント動作によって得られた何部かの資料と後のプリント動作によって得られた何部かの資料とがいずれも普通紙を用いたもの、つまり同じ出来上がり状態になる。したがって、見栄えが良くなる。
【００３５】
請求項１０に記載のセンタ側データ処理装置は、請求項９に記載のセンタ側データ処理装置において、上記比較手段が上記第１のＩＤコードと第２のＩＤコードとが同一ではないと判定したとき、上記画像形成装置の上記第２のジョブによるプリント動作に伴って、上記属性メモリは上記第２のＩＤコードとその第２のジョブによるプリント動作時に前記選択手段により選択された給紙口の用紙属性とを関連付けて記憶することを特徴とする。
【００３６】
この請求項１０のセンタ側データ処理装置では、上記比較手段が上記第１のＩＤコードと第２のＩＤコードとが同一ではないと判定したとき、上記画像形成装置の上記第２のジョブによるプリント動作に伴って、上記属性メモリは上記第２のＩＤコードとその第２のジョブによるプリント動作時に前記選択手段により選択された給紙口の用紙属性とを関連付けて記憶する。この後、ユーザ側データ処理装置からプリント動作についての第３のジョブが与えられたとき、割当手段が第３のジョブにこのジョブを識別するための第３のＩＤコードを割り当てる。すると、比較手段が上記第１、第２のＩＤコードと第３のＩＤコードとを比較する。そして、上記比較手段が上記第１、第２のＩＤコードのいずれかと第３のＩＤコードとが同一であると判定したとき、このセンタ側データ処理装置は、上記画像形成装置に上記第３のジョブによるプリント動作を、そのＩＤコードが一致した前回のジョブによるプリント動作時に上記属性メモリに記憶された給紙口の用紙属性に基づいて行わせる。この後、ユーザ側データ処理装置からプリント動作についての第４のジョブが与えられたとき、割当手段が第４のジョブにこのジョブを識別するための第４のＩＤコードを割り当てる。すると、比較手段が上記第１、第２、第３のＩＤコードと第４のＩＤコードとを比較する。そして、上記比較手段が上記第１、第２、第３のＩＤコードのいずれかと第４のＩＤコードとが同一であると判定したとき、このセンタ側データ処理装置は、上記画像形成装置に上記第４のジョブによるプリント動作を、そのＩＤコードが一致した前回のジョブによるプリント動作時に上記属性メモリに記憶された給紙口の用紙属性に基づいて行わせる。さらにこの後、ユーザ側データ処理装置からプリント動作についての第５のジョブが与えられたとき、割当手段が第５のジョブにこのジョブを識別するための第５のＩＤコードを割り当てる。すると、比較手段が上記第１、第２、第３、第４のＩＤコードと第５のＩＤコードとを比較する。そして、上記比較手段が上記第１、第２、第３、第４のＩＤコードのいずれかと第５のＩＤコードとが同一であると判定したとき、このセンタ側データ処理装置は、上記画像形成装置に上記第４のジョブによるプリント動作を、そのＩＤコードが一致した前回のジョブによるプリント動作時に上記属性メモリに記憶された給紙口の用紙属性に基づいて行わせる。このように、ユーザ側データ処理装置からプリント動作についての第Ｎのジョブが与えられたとき、割当手段が第Ｎのジョブにこのジョブを識別するための第ＮのＩＤコードを割り当て、比較手段が第１、第２、…、第（Ｎ−１）のＩＤコードと第ＮのＩＤコードとを比較する。そして、上記比較手段が上記第１、第２、…、第（Ｎ−１）のＩＤコードのいずれかと第ＮのＩＤコードとが同一であると判定したとき、このセンタ側データ処理装置は、上記画像形成装置に上記第Ｎのジョブによるプリント動作を、そのＩＤコードが一致した前回のジョブによるプリント動作時に上記属性メモリに記憶された給紙口の用紙属性に基づいて行わせる。
【００３７】
このように、このセンタ側データ処理装置では、ユーザ側データ処理装置からプリント動作についてのジョブに伴って新たなＩＤコードが入力されたとき、画像形成装置が行ったそのジョブについてのＩＤコードとそのジョブによるプリント動作時に選択された給紙口の用紙属性とが関連付けて属性メモリに記憶される。この後、ユーザ側データ処理装置からプリント動作についてのジョブに伴って前回のＩＤコードと同じＩＤコードが入力されたとき、画像形成装置にそのジョブによるプリント動作を、そのＩＤコードが一致した前回のジョブによるプリント動作時に上記属性メモリに記憶された給紙口の用紙属性に基づいて行わせることができる。したがって、前回のプリント動作によって得られたプリントと今回のプリント動作によって得られたプリントが、同じ出来上がり状態になる。したがって、見栄えが良くなる。
【００３８】
【発明の実施の形態】
以下、この発明を図示の実施の形態により詳細に説明する。
【００３９】
図１は本発明に係るプリントシステム１の全体構成図である。図１に示すように、プリントシステム１は、ユーザ側データ処理装置５ａ，５ｂ，５ｃ、センタ側データ処理装置４、及び複写機３ａ，３ｂが、それぞれ通信回線６によって結ばれることよって構成されている。ユーザ側データ処理装置５ａ，５ｂ，５ｃ及び複写機３ａ，３ｂの台数は任意であり、本実施形態の台数に限定されない。
【００４０】
ユーザ側データ処理装置５ａ，５ｂ，５ｃは、例えばそれぞれ異なるユーザの自宅に設置され、センタ側データ処理装置４は各ユーザから送信される各種データを集中的に管理するデータ管理センタに設置され、複写機３ａ，３ｂは、それぞれ異なる場所にあるコンビニエンスストアに設置される。また他の実施形態によるときは、ユーザ側データ処理装置５ａ，５ｂ，５ｃは同じビル内の異なる部屋に設置され、センタ側データ処理装置４及び複写機３ａ，３ｂはそれと同じビル内の部屋に設置される。ユーザ側データ処理装置５ａ，５ｂ，５ｃ、センタ側データ処理装置４、及び複写機３ａ，３ｂの全部又は一部を同一の部屋に設置することも可能である。通信回線６は、例えば公衆のアナログ回線、デジタル回線、専用回線、又はＬＡＮ、ＷＡＮ、インターネットなどのネットワークである。
【００４１】
プリントシステム１は、ユーザ側データ処理装置５ａ，５ｂ，５ｃのいずれかにおいて、ユーザはプリント（印刷を含む）したい画像データを格納した画像ファイルを読み出し可能にセットし且つ必要な事項を入力し又は設定しておくことによって、複写機３ａ，３ｂのいずれかにおいてその画像ファイルの内容をプリントできるようにしたシステムである。
【００４２】
本実施形態において、画像ファイルとは、種々の形式又は圧縮形式の画像データを格納したファイル、及びデキストデータを格納したテキストファイルなどを総称したものである。複写機３ａ，３ｂは、それぞれイメージリーダ部及びプリンタ部を備えたデジタル式のカラー複写機であり、それらのプリンタ部を画像ファイルのプリントのために利用するものである。詳細は後述する。
【００４３】
なお、ユーザ側データ処理装置５ａ，５ｂ，５ｃ、及び複写機３ａ，３ｂは、それぞれ同様な構成及び機能を有するものであるので、以降においてはそれらのうちの１つについてのみ説明する。また、ユーザ側データ処理装置５ａ，５ｂ，５ｃ又は複写機３ａ，３ｂの全部又は一部を「ユーザ側データ処理装置５」「複写機３」と記載することがある。
【００４４】
図２はユーザ側データ処理装置５、センタ側データ処理装置４、及び複写機３の構成を機能的に示すブロック図である。図２において、ユーザ側データ処理装置５は、本体５０、ディスプレイ５１、キーボード５２、及びマウス５３から構成されている。ユーザ側データ処理装置５として、例えばパーソナルコンピュータ又はワークステーションなどが用いられ、適当なプログラムがインストールされる。
【００４５】
本体５０には、ハードディスク５４、フロッピーディスク用のドライブ装置５５、ＣＤ−ＲＯＭ用のドライブ装置５６、ＩＣカード用のスロット５７、メモリ５８、処理部５９などが設けられている。
【００４６】
ドライブ装置５５は、外部からセットされるフロッピーディスクである記憶媒体ＭＭ１に対してアクセスし、データの読み書きを行う。ドライブ装置５６は、同じくＣＤ−ＲＯＭである記憶媒体ＭＭ３に対してアクセスし、そのデータを読み込む。スロット５７は、同じくＩＣカードなどの記憶媒体ＭＭ２に対してデータの読み書きを行う。
【００４７】
ハードディスク５４には、ユーザ側データ処理装置５における処理を行ってプリントシステム１を実現するためのプログラムＡＰ、画像ファイル（画像データ）ＤＦのプリントに必要な情報である画像プリント情報ＰＤ、その他のプログラム及びデータが格納される。これらのプリンタ又はデータの一部は、メモリ５８に格納されることもある。また、ハードディスク５４に格納されたプログラム及びデータは、適時、メインメモリにロードされる。
【００４８】
ディスプレイ５１の画面に表示されるように、画像プリント情報ＰＤは、画像ファイルＤＦ、データコードＤＣ、及びＩＤコードＵＣなどからなる。ディスプレイ５１の画面に表示された場合の画像ファイルＤＦとは、そのファイル名のことである。
【００４９】
これらの画像プリント情報ＰＤは、ディスプレイ５１の画面表示にしたがってユーザがキーボード５２又はマウス５３を操作することによって入力される。ユーザは、自分がプリントを希望する画像ファイルＤＦについて、上述の事項を入力する。データコードＤＣは、各画像ファイルＤＦに対してユーザが、各画像ファイルをそれぞれ識別するために数字、英文字、漢字、平仮名、片仮名などを用いて指定する。ＩＤコードＵＣはプリントジョブを識別するためのものであり、この例では、センタ側データ処理装置４によって割り当てられる（詳細は後述する）ほか、ユーザが必要に応じて指定することができる。ＩＤコードＵＣは、数字、英文字、漢字、平仮名、片仮名などを用いて指定することが可能であるが、この例では簡単のため、数字を用いて設定される。
【００５０】
画像プリント情報ＰＤは、ユーザ側データ処理装置５において入力されるとハードディスク５４又はメモリ５８に格納され、その後、通信回線６を介してセンタ側データ処理装置４に送信される。なお、本明細書において、「画像プリント情報ＰＤ」と記載した場合には、画像プリント情報ＰＤを構成する総ての情報を指す場合もあり、そのうちの一部の情報、特にＩＤコードＵＣを除いた情報を指す場合もある。
【００５１】
処理部５９において、ハードディスク５４に格納されたプログラムＡＰが実行され、後述する種々の処理が行われる。
【００５２】
センタ側データ処理装置４は、ユーザ側データ処理装置５と同様に例えばパーソナルコンピュータやワークステーションなどからなる。その本体に設けられたハードディスク又はメモリなどの記憶装置４１には、センタ側データ処理装置４における処理を行ってプリントシステム１を実現するためのプログラムＢＰ、ユーザ側データ処理装置５から送信された画像プリント情報ＰＤなどが格納される。特に、画像プリント情報ＰＤにＩＤコードＵＣが含まれていない場合は、後述するように、センタ側データ処理装置４において生成したＩＤコードＵＣなどが格納される。
【００５３】
処理部４９において、プログラムＢＰが実行され、複写機３に対して画像プリント情報ＰＤを送信し、また複写機３から送信されるデータコードＤＣ及びＩＤコードＵＣと記憶装置４１に格納したそれらとの比較を行うなど、後述する種々の処理を行う。
【００５４】
複写機３は、デジタル式のカラー複写機であり、原稿の画像を読み取ってその原稿の画像と同じ画像を再現するコピー装置としての機能と、センタ側データ処理装置４などのような外部機器から出力される画像ファイル（画像データ）を受信してその画像ファイルの内容である画像を再現するプリンタ装置としての機能とを合わせて備えている。したがって、複写機３には、通信回線６と接続するためのインタフェース及び通信制御装置などが備えられている。
【００５５】
複写機３には、操作パネル１８、制御部１００、及び記憶媒体読取り装置３９などが設けられている。制御部１００には、ハードディスク又は半導体メモリなどからなるメモリ１３１が設けられている。メモリ１３１には、プリンタを制御するためのプログラムＣＰ、操作パネル１８から入力されたＩＤコードＵＣ、各種情報ＭＩ、並びにセンタ側データ処理装置４から送信された画像ファイルＤＦ及び画像プリント情報ＰＤの一部などが格納される。
【００５６】
図３は本発明に係る複写機３の全体の構成を示す図、図４は複写機３の原稿押さえ１９を開いた状態でイメージリーダ部１０を上方から見た図、図５は操作パネル１８を示す図である。
【００５７】
図３において、複写機３は、原稿の画像を読み取るイメージリーダ部１０と、イメージリーダ部１０で読み取った画像、又は外部機器から出力された画像ファイルの画像信号を受信してこの画像ファイルに対応する画像を再現するプリンタ部２０とから構成される。
【００５８】
イメージリーダ部１０には、スキャナ部１１、原稿ガラス板１６、原稿押さえ１９、及び操作パネル１８などが設けられる。操作パネル１８は、イメージリーダ部１０の前面又は上面などに設けられる。
【００５９】
スキャナ部１１は、原稿を照射する露光ランプ１２、原稿からの反射光を集光するロッドレンズアレイ１３、及びロッドレンズアレイ１３によって集光された光を電気信号に変換する密着型のＣＣＤカラーイメージセンサ（以下「ＣＣＤセンサ」という）１４を備えている。
【００６０】
図４によく示されるように、原稿押さえ１９は、その一辺を軸として上下方向に開閉可能である。原稿押さえ１９が閉じられると、スキャン時に原稿ガラス板１６上に載置された原稿が動かないように固定されるとともに、露光ランプ１２の光が外部に逃げないようになる。
【００６１】
スキャナ部１１には、図４の矢印Ｍ２の方向（副走査方向）と直交する方向に沿って、原稿ガラス板１６の幅にほぼ等しい長さを有する露光ランプ１２及びＣＣＤセンサ１４などが互いに平行に設けられている。また、原稿ガラス板１６の左側には、シェーディング補正に使用される白基準板１７が設けられている。
【００６２】
図３に戻って、原稿の読み取り時において、スキャナ部１１は、モータ１５により駆動されて図３における矢印Ｍ１の方向に移動する。このとき、原稿ガラス板１６上に載置された１枚の原稿に対して、イエロー（Ｙ）、マゼンタ（Ｍ）、シアン（Ｃ）、ブラック（Ｋ）の各再現色に対応して合計４回のスキャンが行われる。ＣＣＤセンサ１４には、図示しない赤（Ｒ）、緑（Ｇ）、青（Ｂ）のフィルターが設けられており、１回のスキャンで同時に３色の読取りを行う。
【００６３】
スキャナ部１１の露光ランプ１２で照射された原稿面の画像は、ＣＣＤセンサ１４において光電変換され、赤（Ｒ）、緑（Ｇ）、青（Ｂ）の多値電気信号として制御部１００に取り込まれる。なお、複写機３がプリンタ装置として使用される場合には、外部機器から送信された画像ファイルＤＦの信号が、赤（Ｒ）、緑（Ｇ）、青（Ｂ）の多値電気信号として制御部１００に取り込まれる。
【００６４】
プリンタ部２０において、制御部１００に取り込まれた赤（Ｒ）、緑（Ｇ）、青（Ｂ）の多値電気信号は、最適な再現画像が得られるように、画像信号処理部１２０（図６参照）においてイエロー（Ｙ）、マゼンタ（Ｍ）、シアン（Ｃ）、ブラック（Ｋ）の各濃度データに変換される。
【００６５】
これらの各濃度データは、同じく制御部１００のプリンタ制御部１３０（図６参照）において、感光体の階調特性に応じた捕正（γ補正）やディザ処理が施されて、レーザーダイオードを内蔵するプリントへッド部２１に出力制御信号として出力される。プリントへッド部２１は、当該出力制御信号に基づいて各濃度データに応じた強度のレーザ光を発し、各再現色ごとに感光体ドラム２２の表面を露光する。
【００６６】
感光体ドラム２２の表面は、上述した露光を受ける前にクリーナ２３によって残留トナーを除去され、さらにイレーサランプ２４によって照射され除電された後、帯電チャージャ２５により一様に帯電される。感光体ドラム２２の表面が一様に帯電された状態で露光を受けると、感光体ドラム２２の表面の感光体に静電潜像が形成される。
【００６７】
トナー現像部２６は、マゼンタ（Ｍ）、シアン（Ｃ）、イエロー（Ｙ）、ブラック（Ｋ）の各色のトナー現像器２６ａ〜２６ｄを備えている。トナー現像部２６は、感光体ドラム２２の回転に同期して図示しない昇降装置により上下駆動され、トナー現像器２６ａ〜２６ｄのうち静電潜像が形成された色成分のものが選択され、感光体ドラム２２の表面上の静電潜像を現像する。
【００６８】
各用紙カセット３２，３３には、それぞれ光電センサなどからなる用紙サイズ検出センサ３７，３８が設けられている。用紙サイズ検出センサ３７，３８の検出信号に基づいて、ユーザの指示又はプリンタ制御部１３０から送信された指示に対応したサイズのプリント用の用紙が用紙カセット３２、３３から供給される。ここで「用紙サイズ」は、ＪＩＳ（日本工業規格）によるＡ４，Ｂ４などの用紙自体のサイズのほか、縦（用紙の長手方向が搬送方向に対して平行。記号Ｔで表される。）横（用紙の長手方向が搬送方向に対して垂直。記号Ｙで表される。）の向きも特定するものである。例えば用紙カセット３２にＡ４Ｙサイズの再利用紙、用紙カセット３３にＡ４Ｙサイズの普通紙がそれぞれ収容され、指示に応じて再利用紙と普通紙とのいずれかが供給される。この例では、省資源を奨励する観点から、用紙カセット３２の方を用紙カセット３３よりも優先して選択し、この結果、再利用紙の方を普通紙よりも優先して選択するモードが設定可能になっている。また、例えば用紙カセット３２にＡ４Ｔサイズの普通紙、用紙カセット３３にＡ４Ｙサイズの普通紙をそれぞれ収容しておき、複数部数のプリントを行うジョブでは用紙カセット３２と用紙カセット３３とを各部毎に切り替えて選択して、この結果、供給される用紙の縦横の向きをその各部毎に切り替えるモード（交互給紙モード）も設定可能になっている。ユーザが各部毎にプリントを配布し易くするためである。
【００６９】
用紙カセット３２、３３から供給された用紙は、その先端が転写ドラム２８上のチャッキング機構３４により把持され且つ吸着用チャージャ３５により静電的に吸着され、位置ずれが生じない状態で転写ドラム２８に巻き取られる。感光体ドラム２２の表面上に現像された像は、転写チャージャ２７によって、転写ドラム２８に巻き付いた用紙に転写される。
【００７０】
このような印字行程は、マゼンタ（Ｍ）、シアン（Ｃ）、イエロー（Ｙ）、ブラック（Ｋ）の各色について繰り返して行われ、総ての色について印字が終了すると、分離爪２９が作動し、用紙は転写ドラム２８の表面から分離される。
【００７１】
用紙に転写されたトナー像は、触れるとすぐに剥がれる不安定な状態であるので、定着装置３０において用紙を加熱しながら押圧することによりトナーを用紙の繊維の間に固定させて定着させる。その後、排紙トレイ３１上に排出する。
【００７２】
排紙トレイ３１は、この例では２段に構成されている。定着後のプリントが排紙トレイ３１ａ、３１ｂのいずれに排出されるかは、ユーザの指示又はプリンタ制御部１３０からの指示によって選択され得る。また、或るプリントジョブによるプリント動作を行ってプリントを一方の排紙トレイ上に排出した後、別のプリントジョブによるプリント動作を行うとき、プリントを他方の排紙トレイ上に排出するモードが設定可能になっている。ユーザがプリントジョブ毎にプリントを取り易くするためである。
【００７３】
図５において、操作パネル１８には、テンキー１８１、プリントの可否を示す表示部１８２、用紙サイズを示す表示部１８３、用紙のサイズを選択する用紙選択キー１８４、コピー枚数又はプリント枚数を示す表示部１８５、コピー又はプリントの開始を指示するスタートキー１８６、データコード及びＩＤコードを入力するモードであることを示す表示部１８７、及びコード入力キー１８８が設けられている。
【００７４】
テンキー１８１は、複写機３をコピー装置として使用する場合にはコピー枚数を入力するために用いられ、プリンタ装置として使用する場合には、ユーザのコードであるデータコード及びＩＤコードを入力するために用いられる。コード入力キー１８８は、データコード及びＩＤコードを入力するモードを設定し又は解除するために用いられる。
【００７５】
表示用部１８７が消灯している状態においては、複写機３はコピー装置として使用可能である。表示部１８７が点灯している状態においては、複写機３はプリンタ装置として使用可能であり、テンキー１８１から入力されたコードはデータコードとしてメモリ１３１に記憶される。また、データコードを入力し終わると表示部１８７は点滅状態となり、テンキー１８１から入力されるコードはＩＤコードとしてメモリ１３１に記憶される。
【００７６】
次に、制御部１００について説明する。図６において、制御部１００は、イメージリーダ制御部１１０、画像信号処理部１２０、プリンタ制御部１３０、及び時計ＩＣ１４０から構成される。
【００７７】
イメージリーダ制御部１１０は、原稿読み取り時におけるイメージリーダ部１０の各動作を制御する。つまり、ＣＣＤセンサ１４を駆動し、露光ランプ１２のＯＮ／ＯＦＦの切替えを制御し、モータ１５を駆動してスキャナ部１１のスキャン動作を制御する。
【００７８】
画像信号処理部１２０は、スキャナ部１１のＣＣＤセンサ１４から送られた赤（Ｒ），緑（Ｇ），青（Ｂ）の画像信号を処理して、マゼンタ（Ｍ），シアン（Ｃ），イエロー（Ｙ），黒（Ｋ）の再現色の画像データに変換し、最適な再現画像が得られるようにする。
【００７９】
プリンタ制御部１３０は、プリンタ部２０の各部の動作を制御するものであって、画像信号処理部１２０から出力された画像データについて、γ補正を行い、さらに階調表現法として多値化ディザ法を用いる場合にはディザ処理を施して、プリントへッド部２１の出力を制御し、また、用紙カセット３２、３３からの給紙動作、感光体ドラム２２や転写ドラム２８の回転動作、トナー現像器２６の上下動、及び各チャージャへの電荷の供給などの各動作を同期をとりながら統一的に制御する。
【００８０】
プリンタ制御部１３０にはメモリ１３１が内蔵されている。このメモリ１３１には、既に述べたようにプリンタを制御するためのプログラムＣＰ、操作パネル１８から入力されたＩＤコードＵＣ、各種情報ＭＩ、並びにセンタ側データ処理装置４から送信された画像ファイルＤＦ及び画像プリント情報ＰＤの一部などが格納される（図２参照）。次の表１中に示すように、各種情報ＭＩには、或るプリントジョブによるプリント動作時に、選択した用紙の種類（再利用紙，普通紙など）、選択した用紙カセット（言い換えればＡ４Ｔ，Ａ４Ｙ，Ｂ４Ｔなどの用紙サイズ）その他の用紙属性についての情報や、選択した排紙トレイ（排紙口）についての情報、交互給紙を行ったか否かについての情報などが含まれる。
【表１】
0004378881.tif 000002
【００８１】
図７はプリントシステム１における処理及び操作の概略的シーケンスを示している。図７において、まず、ユーザはユーザ側データ処理装置５を操作し、プリントを希望する画像ファイルＤＦを含む画像プリント情報ＰＤを、センタ側データ処理装置４に送信する（Ｓ１）。これによって、センタ側データ処理装置４に対してプリントジョブが指示される。
【００８２】
センタ側データ処理装置４は、画像プリント情報ＰＤを受信すると、その画像プリント情報ＰＤにＩＤコードＵＣが含まれていなければ、１つの画像プリント情報ＰＤに対して１つのＩＤコードＵＣ１を生成して自動的に割り当てる。そして、センタ側データ処理装置４は、画像プリント情報ＰＤの一部としてそのＩＤコードＵＣ１を記憶するとともに、そのＩＤコードＵＣをユーザ側データ処理装置５へ送信（返信）する（Ｓ２）。ユーザ側データ処理装置５に返信されたＩＤコードＵＣ１は、ディスプレイ５１に表示される。これにより、ユーザは、指示したプリントジョブに割り当てられたＩＤコードＵＣ１を知ることができる。
【００８３】
また、センタ側データ処理装置４は、上述のようにＩＤコードＵＣ１をユーザ側データ処理装置５へ返信すると直ちに、複写機３にプリント動作を行わせるために、複写機３に対して画像プリント情報ＰＤを送信する（Ｓ３）。複写機３は受信した画像プリント情報ＰＤに従ってプリント動作を行う。このプリント動作時に、複写機３は、この複写機３の状態に応じて決定した各種情報ＭＩを、画像プリント情報ＰＤに含まれたＩＤコードＵＣ１に関連付けて記憶する（表１参照）。
【００８４】
ユーザは、前回のプリント動作によって得られたプリントと同じ出来上がりのプリントを得たい場合は、追加のプリントジョブを前回のＩＤコードＵＣ１と同じＩＤコードＵＣ２を伴って指示する。すなわち、ユーザ側データ処理装置５を操作して、今回プリントすべき画像ファイルＤＦを含む画像プリント情報ＰＤに伴って、前回ディスプレイ５１に表示されたＩＤコードＵＣ１と同じものを、センタ側データ処理装置４へ送信する（Ｓ４）。
【００８５】
センタ側データ処理装置４では、画像プリント情報ＰＤを受信すると、その画像プリント情報ＰＤにＩＤコードが含まれていれば、その画像プリント情報ＰＤを複写機３に送信する（Ｓ５）。
【００８６】
複写機３は、今回受信したＩＤコードＵＣ２と同じＩＤコードＵＣ１に関連付けた各種情報ＭＩを記憶していれば、その各種情報ＭＩに従ってプリント動作を行う。
【００８７】
この結果、例えば前回のプリント動作によって得られたプリントと今回のプリント動作によって得られたプリントが、同じ出来上がり状態になる。したがって、見栄えが良くなる。
【００８８】
プリントシステム１の各部の処理動作をフローチャートに基づいて説明する。
これらの処理は、センタ側データ処理装置４の記憶装置４１に格納されたプログラムＢＰの実行により行われる。
【００８９】
図８に示すように、センタ側データ処理装置４では、ユーザ側データ処理装置５及び複写機３からのデータの受信処理（＃２００）が行われる。
【００９０】
具体的には図９に示すように、センタ側データ処理装置４は、ユーザ側データ処理装置５から画像プリント情報ＰＤを受信するのを待ち（＃２０２でＮＯ）、ユーザー側データ処理装置５から画像プリント情報ＰＤを受信すると（＃２０２でＹＥＳ）、受信した画像プリント情報ＰＤを記憶する（＃２０４）。さらに、画像プリント情報ＰＤ内にＩＤコードが含まれているか否かを判断して（＃２０６）、画像プリント情報ＰＤ内にＩＤコードが含まれていなければ（＃２０６でＮＯ）、その画像プリント情報ＰＤに対してＩＤコードＵＣ１を割り当てる。そして、そのＩＤコードＵＣ１を含む画像プリント情報ＰＤを記憶装置４１に記憶するとともに（＃２０８）、そのＩＤコードＵＣ１をユーザ側データ処理装置５へ送信する（＃２１０）。その後、画像プリント情報ＰＤを複写機３へ送信する（＃２１２）。一方、画像プリント情報ＰＤ内にＩＤコードが含まれていれば（＃２０６でＹＥＳ）、その画像プリント情報ＰＤをそのまま複写機３へ送信する（＃２１２）。
【００９１】
図１０は複写機３における全体的な処理フローを示している。この複写機３における処理は、複写機３のメモリ１３１に格納されたプログラムＣＰの実行により行われる。複写機３が通電されると、まず初期設定、すなわち、このルーチンの１ルーチン分の時間を規定するタイマの設定を行う（＃５００）。続いて、操作パネルからのユーザの操作を受け付ける入力受付処理（＃６００）と、センタ側データ処理装置４からの画像プリント情報ＰＤを受信する受信処理（＃７００）と、受信した画像プリント情報ＰＤに基づいたプリント動作を実行するプリント処理（＃８００）とを順次行い、一定時間計時したときに（＃９９９でＹＥＳ）、ステップ＃５００に戻る。
【００９２】
上記入力受付処理（図１０中の＃６００）は、具体的には図１１に示す処理フローに従って行われる。すなわち、テンキー１８１によってＩＤコードの入力があったかどうかを監視し、ＩＤコードの入力があれば（＃６０２でＹＥＳ）、「ＩＤコード入力済」フラグを設定（セット）する（＃６０３）。これとともに、メモリ１３１内（表１参照）を番号順に検索して、以前のプリント動作時に入力されたＩＤコードＵＣ１とそれに関連付けた各種情報ＭＩがメモリ１３１に記憶されており、かつそのＩＤコードＵＣ１と今回入力されたＩＤコードＵＣ２とが一致しているか否かを判断する（＃６０４）。以前に入力されたＩＤコードのいずれかと今回入力されたＩＤコードとが一致しており、したがってその同じＩＤコードＵＣ１に関連付けた各種情報ＭＩがメモリ１３１に記憶されていれば（＃６０４でＹＥＳ）、その各種情報ＭＩに基づいてプリント動作を行うために、それを読み出す（＃６０６）。検索を終端するために割り当てられたＩＤコード９９９９を見つけるまで検索を実行する。そして、以前に入力されたＩＤコードと今回入力されたＩＤコードとが一致しておらず、したがって今回入力されたＩＤコードＵＣ２と同じＩＤコードＵＣ１に関連付けた各種情報ＭＩが記憶されていなければ（＃６０４でＮＯ）、以前の条件に制約されずにプリント動作を行うために、そのままリターンする。この後、スタートキー１８６のオンが入力され（＃６１０でＹＥＳ）、「ＩＤコード入力済」フラグが設定されていれば（＃６１２でＹＥＳ）、プリント動作（コピー）を開始する（＃６１６）。一方、「ＩＤコード入力済」フラグが設定されていなければ（＃６１２でＮＯ）、今回のプリントジョブにＩＤコードを割り当てる（＃６１４）。具体的には、メモリ１３１内（表１参照）を番号順に検索して、重複しないように４桁の数字を割り当てる。なお、メモリ１３１内（表１参照）の検索を終端するためには、ＩＤコードとして９９９９を割り当てる。この後、割り当てたＩＤコードを操作パネルに表示した後、プリント動作を開始する（＃６１６）。なお、入力がスタートキーのオン以外のものであれば（＃６１０でＮＯ）、その他の処理を行う（＃６２０）。
【００９３】
上記受信処理（図１０中の＃７００）は、具体的には図１２に示す処理フローに従って行われる。すなわち、センタ側データ処理装置４から画像プリント情報ＰＤが送られてきたか否かを監視し、画像プリント情報ＰＤを受信すると（＃７０２でＹＥＳ）、以前のプリント動作時に入力されたＩＤコードＵＣ１とそれに関連付けた各種情報ＭＩがメモリ１３１に記憶されており、かつそのＩＤコードＵＣ１と今回入力されたＩＤコードＵＣ２とが一致しているか否かを判断する（＃７０４）。以前に入力されたＩＤコードのいずれかと今回入力されたＩＤコードとが一致しており、したがってその同じＩＤコードＵＣ１に関連付けた各種情報ＭＩがメモリ１３１に記憶されていれば（＃７０４でＹＥＳ）、その各種情報ＭＩに基づいてプリント動作を行うために、それを読み出して（＃７０６）、プリント動作を開始する（＃７０８）。以前に入力されたＩＤコードと今回入力されたＩＤコードとが一致しておらず、したがって今回入力されたＩＤコードＵＣ２と同じＩＤコードＵＣ１に関連付けた各種情報ＭＩが記憶されていなければ、以前の条件に制約されずにプリント動作を行うために、そのままプリント動作を開始する（＃７０８）。
【００９４】
上記プリント処理（図１０中の＃８００）は、具体的には図１３に示す処理フローに従って行われる。すなわち、まず現在プリント（コピー）動作中であるか否かを判断する（＃８０２）。現在、画像プリント情報ＰＤに基づくプリント動作中であれば（＃８０２でＹＥＳ）、プリント動作中に決定すべきモードＡ又はＢの決定を待って、モードＡ，Ｂが決定されたか否かを各種情報ＭＩとしてメモリ１３１に記憶する（＃８０６，＃８０８，＃８１０）。具体的には、メモリ１３１内（表１参照）を番号順に検索して、ＩＤコード９９９９を見つけると、その番号Ｎのところに新たなＩＤコードと各種情報ＭＩとを対応させて記憶する。そして、次の番号（Ｎ＋１）のところのＩＤコードを、終端を表す９９９９に設定する。モードＡ，Ｂについては次に例を挙げて説明する。なお、現在プリント（コピー）動作中でなければ（＃８０２でＮＯ）、そのままリターンする。
【００９５】
次に、幾つかの具体的な例を挙げて、上述の各種情報ＭＩを具体的に特定しながら、ユーザにとってどのような利便さを提供できるかを説明する。
【００９６】
まず、図１４に示すように、複写機３がそれぞれ用紙カセットがセットされる４段の給紙口２０１，２０２，２０３，２０４を備え、各給紙口（したがって用紙カセット）毎にその給紙口が供給する用紙の属性が設定されるようになっている変形例について述べる。属性Ｓ０は普通紙、属性Ｓ１は再利用紙をそれぞれ表す。省資源を奨励する観点から、特に変更指示が無い限り、属性Ｓ１の再利用紙の方を優先するモードに設定されているものとする。
【００９７】
この場合の用紙選択の制御は図１５に示す処理フローに従って行われる。まず、今回入力されたＩＤコードＵＣ２と同じＩＤコードＵＣ１に関連付けた各種情報ＭＩがメモリ１３１に記憶されているか否かを判断する（＃９０２）、そのような情報ＭＩがメモリ１３１に有れば（＃９０２でＹＥＳ）、情報ＭＩとして登録されている用紙属性を読み出し、その用紙属性がＳ０とＳ１とのいずれであるかを判断する（＃９０４）。読み出した用紙属性がＳ０であれば（＃９０４でＳ０）、属性パラメータＳの内容をＳ０に設定して（＃９０６）、いずれかの用紙カセットに属性Ｓ０の用紙、つまり普通紙が有るかどうかを検索する（＃９０８）。その結果、属性Ｓ０の用紙が無ければ（＃９１０でＮＯ）、ユーザが属性Ｓ０の用紙を用紙カセットに入れるように操作パネルにその旨の要求を表示する（＃９１２）。一方、読み出した用紙属性がＳ１であれば（＃９０４でＳ１）、属性パラメータＳの内容をＳ１に設定して（＃９２０）、いずれかの用紙カセットに属性Ｓ１の用紙、つまり再利用紙が有るかどうかを検索する（＃９２２）。その結果、属性Ｓ１の用紙が無ければ（＃９２４でＮＯ）、ユーザが属性Ｓ１の用紙を用紙カセットに入れるように操作パネルにその旨の要求を表示する（＃９２６）。
【００９８】
一方、今回入力されたＩＤコードＵＣ２と同じＩＤコードＵＣ１に関連付けた各種情報ＭＩがメモリ１３１に無ければ（＃９０２でＮＯ）、再利用紙を優先して選択するために属性パラメータＳの内容をＳ１に設定して（＃９３０）、いずれかの用紙カセットに属性Ｓ１の用紙、つまり再利用紙が有るかどうかを検索する（＃９３２）。その結果、属性Ｓ１の用紙が無ければ（＃９３４でＮＯ）、属性パラメータＳの内容をＳ０に変えて（＃９３６）、いずれかの用紙カセットに属性Ｓ０の用紙、つまり普通紙が有るかどうかを検索する（＃９３８）。その結果、属性Ｓ０の用紙が無ければ（＃９４０でＮＯ）、ユーザが属性Ｓ０の用紙を用紙カセットに入れるように操作パネルにその旨の要求を表示する（＃９４２）。
【００９９】
詳しくは、上述の用紙検索（図１５中の＃９０８、＃９２２、＃９３２、＃９３８）は、いずれも図１６の処理フローに従って行われる。すなわち、まずカセット番号パラメータを１に設定する（＃９５０）。続いて、そのカセット番号で指定されたカセットに設定された属性が属性パラメータＳの内容と一致するか否かを判断する（＃９５２）。両者が一致すれば（＃９５２でＹＥＳ）、さらにそのカセットに収容された用紙のサイズが所望のサイズと一致するか否かを判断する（＃９５４）。用紙サイズが所望のものと一致すれば（＃９５４でＹＥＳ）、検索対象の用紙が有ると判断する（＃９５６）。そして、このときの属性パラメータＳの内容を、用紙属性を表す情報ＭＩとして登録する（＃９５８）。
【０１００】
一方、上記カセット番号で指定されたカセットに設定された属性が属性パラメータＳの内容と一致せず（＃９５２でＮＯ）、またはそのカセットに収容された用紙のサイズが所望のサイズと一致しなければ（＃９５４でＮＯ）、カセット番号を１だけ繰り上げる（＃９６０）。そのカセット番号に対応するカセットがいずれかの給紙口にセットされていれば（＃９６２でＹＥＳ）、再度＃９５２以降の処理を繰り返す。このようにして、カセット番号を１ずつ繰り上げながら対象の用紙を検索し、そのカセット番号４までの処理で用紙が見つからなければ（＃９６２でＮＯ）、カセット無しとして（＃９６４）、用紙検索を終了する。
【０１０１】
上述のような用紙選択処理によって、再利用紙が供給される給紙口と、普通紙が供給される給紙口とが設けられ、本来再利用紙の方が普通紙よりも優先して選択されるようになっている場合に、複写機３が或るジョブに関して何らかの都合（用紙カセット内に再利用紙が無くなっていたなど）で普通紙を選択してプリント動作を行った後、同じＩＤコードを伴ったジョブの指示によって追加のプリント動作を行うとき、普通紙を選択してプリント動作を行うことになる。この結果、例えば会社で複数部数の会議資料（プリント束）を用意しようとする場合、先のプリント動作によって得られた何部かの資料と後のプリント動作によって得られた何部かの資料とがいずれも普通紙を用いたもの、つまり同じ出来上がり状態になる。したがって、見栄えが良くなる。
【０１０２】
次に、上記複写機３が、或るプリントジョブによるプリント動作を行って二つの排紙トレイ３１ａ，３１ｂ（図３参照）のうちの一方の排紙トレイ上にプリントを排出した後、別のプリントジョブによるプリント動作を行うとき、特に変更指示が無い限り、プリントを他方の排紙トレイ上に排出するモードに設定されている場合について述べる。
【０１０３】
この場合の排紙トレイ選択の制御は図１７に示す処理フローに従って行われる。なお、属性情報ＭＩとしてそれぞれ排紙トレイ３１ａをコード０、排紙トレイ３１ｂをコード１で表すものとする。
【０１０４】
まず、今回入力されたＩＤコードＵＣ２と同じＩＤコードＵＣ１に関連付けた各種情報ＭＩがメモリ１３１に記憶されているか否かを判断する（＃１０００）、そのような情報ＭＩがメモリ１３１に有れば（＃１０００でＹＥＳ）、情報ＭＩとして登録されている排紙トレイコードを読み出し、その排紙トレイコードが０と１とのいずれであるかを判断する（＃１００２）。読み出した排紙トレイコードが０であれば（＃１００２で０）、排紙トレイパラメータＴの内容を０に設定し（＃１００４）、属性情報ＭＩとしてその排紙トレイパラメータＴの内容を登録する（＃１００６）。逆に、読み出した排紙トレイコードが１であれば（＃１００２で１）、排紙トレイパラメータＴの内容を１に設定し（＃１００８）、属性情報ＭＩとしてその排紙トレイパラメータＴの内容を登録する（＃１００６）。読み出した排紙トレイコードが０と１のいずれの場合も、排紙トレイパラメータＴの内容が前回のプリントジョブのときに設定された内容と同じ状態に設定される。この結果、同じＩＤコードを伴ったジョブの指示によって得られたプリントは同じ排紙トレイ上に排出される。つまり、用紙の種類も揃えておけば、同じ出来上がり状態のプリントが同じ排紙トレイに排出される。同じＩＤコードを使ったユーザは同じ排紙トレイに排出されたプリントだけを取れば良い。したがって、プリントの取り扱いが容易になる。
【０１０５】
一方、今回入力されたＩＤコードＵＣ２と同じＩＤコードＵＣ１に関連付けた各種情報ＭＩがメモリ１３１に無ければ（＃１０００でＮＯ）、前回設定された排紙トレイパラメータＴの内容を調べる（＃１０１０）。前回設定された排紙トレイパラメータＴの内容が０であれば（＃１０１０で０）、排紙トレイパラメータＴの内容を１に設定し（＃１０１２）、属性情報ＭＩとしてその排紙トレイパラメータＴの内容を登録する（＃１００６）。逆に、前回設定された排紙トレイパラメータＴの内容が１であれば（＃１０１０で１）、排紙トレイパラメータＴの内容を０に設定し（＃１０１４）、属性情報ＭＩとしてその排紙トレイパラメータＴの内容を登録する（＃１００６）。前回設定された排紙トレイパラメータＴの内容が０と１のいずれの場合も、排紙トレイパラメータＴの内容が前回のプリントジョブのときに設定された内容と異なった状態に設定される。従って、新たなＩＤコードを使ったユーザは、直前に使用された排紙トレイとは異なる排紙トレイに排出されたプリントだけを取れば良い。したがって、プリントの取り扱いが容易になる。
【０１０６】
次に、上記複写機３が、特に変更指示が無い限り、交互給紙モードを優先するように設定されている場合について述べる。既に述べたように、交互給紙モードでは、例えば用紙カセット３２にＡ４Ｔサイズの普通紙、用紙カセット３３にＡ４Ｙサイズの普通紙をそれぞれ収容しておき、複数部数のプリントを行うジョブでは用紙カセット３２と用紙カセット３３とを各部毎に切り替えて選択して、この結果、供給される用紙の縦横の向きをその各部毎に切り替える。供給される用紙の向きに伴って、画像の出力の向きも各部毎に切り替えられる。これに対して、定常給紙モードでは、給紙の向きが縦または横に一定とされる。
【０１０７】
この場合の交互給紙の制御は図１８に示す処理フローに従って行われる。
【０１０８】
まず、今回入力されたＩＤコードＵＣ２と同じＩＤコードＵＣ１に関連付けた各種情報ＭＩがメモリ１３１に記憶されているか否かを判断する（＃１１００）、そのような情報ＭＩがメモリ１３１に有れば（＃１１００でＹＥＳ）、情報ＭＩとして登録されている給紙モードが交互給紙と定常給紙とのいずれであるかを判断する（＃１１０２）。前回設定された給紙モードが交互給紙であれば（＃１１０２でＹＥＳ）、縦向きの用紙と横向きの用紙がそれぞれ用紙カセット３２、３３にセットされているかどうかを判断する（＃１１０４，＃１１０６）。両方の用紙がセットされていれば（＃１１０４，＃１１０６でともにＹＥＳ）、給紙モードを交互給紙に設定し（＃１１０８）、属性情報ＭＩとしてその給紙モードの内容を登録する（＃１１１０）。ここで縦向きの用紙が用紙カセット３２にセットされていなければ（＃１１０４でＮＯ）、ユーザが縦向きの用紙を用紙カセット３２にセットするように操作パネルにその旨の要求を表示する（＃１１３０）。また、横向きの用紙が用紙カセット３３にセットされていなければ（＃１１０６でＮＯ）、ユーザが横向きの用紙を用紙カセット３３にセットするように操作パネルにその旨の要求を表示する（＃１１３２）。逆に、前回設定された給紙モードが定常給紙であれば（＃１１０２でＮＯ）、給紙モードを定常給紙に設定し（＃１１２０）、属性情報ＭＩとしてその給紙モードの内容を登録する（＃１１１０）。この結果、前回のジョブによるプリント動作時に排出されたプリントの向きが各部毎に縦横に切り替えられた状態になっていれば、今回のジョブによるプリント動作時に排出されたプリントの向きも各部毎に縦横に切り替えられた状態になる。一方、前回のジョブによるプリント動作時に排出されたプリントの向きが一定になっていれば、今回のジョブによるプリント動作時に排出されたプリントの向きも一定になる。したがって、プリントの取り扱いが容易になる。
【０１０９】
一方、今回入力されたＩＤコードＵＣ２と同じＩＤコードＵＣ１に関連付けた各種情報ＭＩがメモリ１３１に無ければ（＃１１００でＮＯ）、縦向きの用紙と横向きの用紙がそれぞれ用紙カセット３２、３３にセットされているかどうかを判断する（＃１１４０，＃１１４２）。両方の用紙がセットされていれば（＃１１４０，＃１１４２でともにＹＥＳ）、給紙モードを交互給紙に設定し（＃１１４４）、属性情報ＭＩとしてその給紙モードの内容を登録する（＃１１１０）。縦向きの用紙または横向きの用紙が用紙カセット３２または３３にセットされていなければ（＃１１４０または＃１１４２でＮＯ）、給紙モードを定常給紙に設定し（＃１１４６）、属性情報ＭＩとしてその給紙モードの内容を登録する（＃１１１０）。この結果、縦向きと横向きの両方の用紙が用意されているか否かに応じて、交互給紙モードまたは定常給紙モードが設定される。
【０１１０】
上述の実施形態では、各種情報ＭＩを複写機３（のメモリ１３１）が記憶するものとしたが、これに限られるものではない。図７に対応して描いた図１９中に示すように、複写機３で生成した各種情報ＭＩをセンタ側データ処理装置４へ送信して（Ｓ４）、センタ側データ処理装置４で記憶するようにしても良い。その後、ユーザ側データ処理装置５からプリントジョブに伴ってＩＤコードＵＣ２が入力されると（Ｓ５）、センタ側データ処理装置４が前回のＩＤコードＵＣ１と今回のＩＤコードＵＣ２とを比較する。そして、ＩＤコードＵＣ１とＩＤコードＵＣ２とが同一であると判定したとき、センタ側データ処理装置４は、複写機３へ今回の画像プリント情報ＰＤとともに前回のジョブの時に記憶した各種情報ＭＩを送信する（Ｓ６）。これにより、複写機３に今回のジョブによるプリント動作を、前回のジョブの時に記憶した各種情報ＭＩに基づいて行わせる。このようにした場合も、上述の実施形態と同様の作用効果が得られる。
【０１１１】
また、上述の実施形態では、前回のＩＤコードＵＣ１と今回のＩＤコードＵＣ２との比較をセンタ側データ処理装置４が行うものとしたが、これに限られるものではない。それらの比較を複写機３において行っても良い。
【０１１２】
つまり、この発明では、ＩＤコードと各種情報ＭＩの関連付けが行えれば、プリントシステムを構成するどの部分で、ＩＤコードの生成と記憶、各種情報ＭＩの記憶を行っても構わない。
【０１１３】
ユーザ側データ処理装置５、センタ側データ処理装置４、及び複写機３の構造、回路、機能、操作方法、処理内容又は順序、それぞれのフローチャートの内容又は順序、処理の分担などは、本発明の主旨に沿って適宜変更することができる。
【０１１４】
【発明の効果】
以上より明らかなように、請求項１乃至４のプリントシステムおよび請求項５乃至８の画像形成装置によれば、同じＩＤコードを伴ったジョブの指示によってプリント動作を行う場合、同じ出来上がり状態を得ることができる。
【０１１５】
また、請求項９乃至１０のセンタ側データ処理装置によれば、ユーザ側データ処理装置からの同じＩＤコードを伴ったジョブの指示によって画像形成装置がプリント動作を行う場合、同じ出来上がり状態が得られるように働くことができる。
【図面の簡単な説明】
【図１】  この発明の一実施形態のプリントシステムの全体構成を示す図である。
【図２】  上記プリントシステムの機能を詳細に示すブロック図である。
【図３】  上記プリントシステムの一部を構成する複写機の概略断面構成を示す図である。
【図４】  上記複写機のイメージリーダ部を上方から見た図である。
【図５】  上記複写機の操作パネルを示す図である。
【図６】  上記複写機の制御部の機能を示すブロック図である。
【図７】  上記プリントシステムにおける処理及び操作の概略的シーケンスを示す図である。
【図８】  センタ側データ処理装置における全体的な処理を示すフローチャートである。
【図９】  センタ側データ処理装置における受信処理を詳細に示すフローチャートである。
【図１０】  上記複写機における全体的な処理を示すフローチャートである。
【図１１】  上記複写機における入力受付処理を詳細に示すフローチャートである。
【図１２】  上記複写機における入力処理を詳細に示すフローチャートである。
【図１３】  上記複写機におけるプリント処理を詳細に示すフローチャートである。
【図１４】  上記複写機の変形例であって４段の給紙口を有するものを示す図である。
【図１５】  上記複写機における用紙選択の制御を示すフローチャートである。
【図１６】  上記用紙選択処理における用紙検索の制御を示すフローチャートである。
【図１７】  上記複写機における排紙トレイ選択の制御を示すフローチャートである。
【図１８】  上記複写機における交互給紙の制御を示すフローチャートである。
【図１９】  上記プリントシステムにおける処理及び操作の変形した概略的シーケンスを示す図である。
【符号の説明】
１  プリントシステム
３  複写機（プリント手段、画像形成装置）
４  センタ側データ処理装置（割当手段、比較手段）
５  ユーザ側データ処理装置（入力手段）
６  通信回線（ネットワーク）
１８  操作パネル
２０  プリンタ部
３９  記憶媒体読取り装置
４１  記憶装置
１００  制御部（選択手段、交互給紙手段）
１３１  メモリ（属性メモリ、排紙口メモリ、交互給紙メモリ）
ＭＩ  各種情報
ＰＤ  画像プリント情報
ＵＣ１，ＵＣ２  ＩＤコード
【図１】
0004378881.tif 000003
【図２】
0004378881.tif 000004
【図３】
0004378881.tif 000005
【図４】
0004378881.tif 000006
【図５】
0004378881.tif 000007
【図６】
0004378881.tif 000008
【図７】
0004378881.tif 000009
【図８】
0004378881.tif 000010
【図９】
0004378881.tif 000011
【図１０】
0004378881.tif 000012
【図１１】
0004378881.tif 000013
【図１２】
0004378881.tif 000014
【図１３】
0004378881.tif 000015
【図１４】
0004378881.tif 000016
【図１５】
0004378881.tif 000017
【図１６】
0004378881.tif 000018
【図１７】
0004378881.tif 000019
【図１８】
0004378881.tif 000020
【図１９】
0004378881.tif 000021